(57)【要約】      （修正有）【課題】長尺にも拘らず１次元配列された安価なロッドレンズアレイを搭載したイメージセンサを提供する。【解決手段】  原稿に光を照射する光源と、原稿で反射された光を結像させるロッドレンズアレイ８０の最端部に位置するロッドレンズ８１同士が互いに接するように結合させた複数のロッドレンズアレイ８０と、上記最端部に位置するロッドレンズ８１間の隙間に充填されたシール剤８５と、ロッドレンズアレイ８０で結像した光を所定の読み取り幅に渡り受光する受光素子と、連続して配置されたロッドレンズアレイ８０を緩衝材１１０を介して固定するフレーム３０とを備えるようにした。【選択図】図２
2005217630.tif 000002
【特許請求の範囲】
【請求項１】
被写体に光を照射する光源と、前記被写体で反射された光を集光させる個々のロッドレンズのそれぞれを隔離するように直線的に配列し、且つ直線的に配列された前記ロッドレンズの最端部に位置するロッドレンズが互いに接するように隣接配置したロッドレンズアレイと、前記ロッドレンズアレイで結像した光を所定の読み取り幅に渡り受光する受光素子と、連続して配置された複数の前記ロッドレンズアレイを前記所定の読み取り幅に渡り固定するフレームとを備えたイメージセンサ。
【請求項２】
隣接配置されたロッドレンズアレイの最端部に位置するロッドレンズ間の隙間にシール剤を充填したことを特徴とする請求項１に記載のイメージセンサ。
【請求項３】
隣接配置されたロッドレンズアレイの最端部に位置するロッドレンズ間の隙間に充填されたシール剤を覆うように塗布した接着剤で、連続して配置された複数のロッドレンズアレイとフレームとを固定したことを特徴とする請求項２に記載のイメージセンサ。
【請求項４】
隣接配置されたロッドレンズアレイの最端部に位置するロッドレンズ間の隙間に充填されたシール剤の両側近傍にそれぞれ塗布した接着剤で、連続して配置された複数のロッドレンズアレイとフレームとを固定したことを特徴とする請求項２に記載のイメージセンサ。
【請求項５】
連続して配置された複数のロッドレンズアレイを所定の読み取り幅に渡り緩衝材を介してフレームに固定したことを特徴とする請求項１に記載のイメージセンサ。
【請求項６】
被写体に光を照射する光源と、前記被写体で反射された光を集光させる個々のロッドレンズのそれぞれを隔離するように直線的に配列し、且つ直線的に配列された前記ロッドレンズの最端部に位置するロッドレンズが互いに接するように隣接配置したロッドレンズアレイと、前記ロッドレンズアレイで結像した光を所定の読み取り幅に渡り受光する受光素子と、連続して配置された複数の前記ロッドレンズアレイを前記所定の読み取り幅に渡り緩衝材を介して固定すると共に前記緩衝材との間に複数の貫通穴を設けたフレームと、前記貫通穴に挿入したネジとを備え、前記ネジでもって前記ロッドレンズアレイの個々の傾きを調整することを特徴とするイメージセンサ。
【請求項７】
被写体に光を照射する光源と、前記被写体で反射された光を集光させる個々のロッドレンズのそれぞれを隔離するように直線的に配列し、且つ直線的に配列された前記ロッドレンズの最端部に位置するロッドレンズが互いに接するように隣接配置したロッドレンズアレイと、前記ロッドレンズアレイで結像した光を所定の読み取り幅に渡り受光する受光素子と、連続して配置された複数の前記ロッドレンズアレイを前記所定の読み取り幅に渡り緩衝材を介して固定するフレームと、前記緩衝材と前記フレーム間に挿入したスペーサとを備え、複数の前記スペーサでもって前記ロッドレンズアレイの個々の傾きを調整することを特徴とするイメージセンサ。
【発明の詳細な説明】
【技術分野】
【０００１】
本発明は画像入力装置、画像書き込み装置に使用されるイメージセンサやＬＥＤプリントヘッドに関するものであり、特にロッドレンズアレイを搭載した長尺の密着型イメージセンサに関する。
【背景技術】
【０００２】
ロッドレンズアレイを搭載した装置として、特開２００２−２１８１５９号公報図１には第１と第２のフレームで挟まれたロッドレンズアレイを搭載したイメージセンサが開示されている。また、特開２００１−１５０７２９号公報図１には３個のロッドレンズをパッケージケースと筐体とで一体的にパッケージングした書込装置が開示されている。
【０００３】
特開２００２−２１８１５９号公報図１において、１はイメージセンサ、２はガラスプレート、３はフレーム、６は光源、８は１方向に沿って並べられた複数のロッドレンズから構成されているロッドレンズアレイ、９は受光素子、１０はセンサ基板、１８は原稿である。ここでロッドレンズアレイ８は１方向に延在しており、１個のロッドレンズアレイで構成されている。
【０００４】
特開２００１ー１５０７２９号公報図１において、１は発光素子アレイ基板、２は発光素子列、３はロッドレンズアレイ、４はパッケージケース、５は筐体、８は接続部材である。ここでロッドレンズアレイ３は１方向に延在はするが延在方向と直角方向にはオーバーラップした領域があり単一的直線配列（１次元配列）ではない。
【０００５】
【特許文献１】特開２００２−２１８１５９号公報  特開２００１−１５０７２９号公報
【発明の開示】
【発明が解決しようとする課題】
【０００６】
従来のイメージセンサは以上のように構成されているので、搭載するロッドレンズは読み取り幅に対応した1個のロッドレンズアレイで構成されており、長尺のイメージセンサを設計する場合にはその読み取り幅に合った専用のロッドレンズアレイを使用せねばならず、高価なロッドレンズアレイにならざるを得ないと言う問題があった。また、長尺の書き込み装置では複数のロッドレンズアレイを使用するが書き込みラインが１次元的配列ではないため、隣接するロッドレンズアレイの近傍のロッドレンズは画像の結像位置がそれぞれ異なるので書き込み時には画像書き込みラインの位置ずれによる電気的補正を必要とした。
【０００７】
この発明は上記のような問題点を解消するためになされたもので、長尺にも拘らず１次元配列された安価なロッドレンズアレイを搭載したイメージセンサを提供することを目的とする。
【課題を解決するための手段】
【０００８】
この発明に係るイメージセンサは被写体に光を照射する光源と、被写体で反射された光を集光させる個々のロッドレンズのそれぞれを隔離するように直線的に配列し、且つ直線的に配列されたロッドレンズの最端部に位置するロッドレンズが互いに接するように隣接配置したロッドレンズアレイと、ロッドレンズアレイで結像した光を所定の読み取り幅に渡り受光する受光素子と、連続して配置された複数の前記ロッドレンズアレイを所定の読み取り幅に渡り固定するフレームとを備えたことを特徴とする。
【０００９】
また、この発明に係るイメージセンサは、隣接配置されたロッドレンズアレイの最端部に位置するロッドレンズ間の隙間にシール材を充填したことを特徴とする。
【００１０】
また、この発明に係るイメージセンサは、隣接配置されたロッドレンズアレイの最端部に位置するロッドレンズ間の隙間に充填されたシール剤を覆うように塗布した接着剤で、連続して配置された複数のロッドレンズアレイとフレームとを固定したことを特徴とする。
【００１１】
また、この発明に係るイメージセンサは、隣接配置されたロッドレンズアレイの最端部に位置するロッドレンズ間の隙間に充填されたシール剤の両側近傍にそれぞれ塗布した接着剤で、連続して配置された複数のロッドレンズアレイとフレームとを固定したことを特徴とする。
【００１２】
また、この発明に係るイメージセンサは、連続して配置された複数のロッドレンズアレイを所定の読み取り幅に渡り緩衝材を介してフレームに固定したことを特徴とする。
【００１３】
また、この発明に係るイメージセンサは、被写体に光を照射する光源と、被写体で反射された光を集光させる個々のロッドレンズのそれぞれを隔離するように直線的に配列し、且つ直線的に配列されたロッドレンズの最端部に位置するロッドレンズが互いに接するように隣接配置したロッドレンズアレイと、ロッドレンズアレイで結像した光を所定の読み取り幅に渡り受光する受光素子と、連続して配置された複数のロッドレンズアレイを所定の読み取り幅に渡り緩衝材を介して固定すると共に緩衝材との間に複数の貫通穴を設けたフレームと、貫通穴に挿入したネジとを備え、ネジでもってロッドレンズアレイの個々の傾きを調整することを特徴とする。
【００１４】
また、この発明に係るイメージセンサは、被写体に光を照射する光源と、被写体で反射された光を集光させる個々のロッドレンズのそれぞれを隔離するように直線的に配列し、且つ直線的に配列されたロッドレンズの最端部に位置するロッドレンズが互いに接するように隣接配置したロッドレンズアレイと、ロッドレンズアレイで結像した光を所定の読み取り幅に渡り受光する受光素子と、連続して配置された複数のロッドレンズアレイを所定の読み取り幅に渡り緩衝材を介して固定するフレームと、緩衝材とフレーム間に挿入したスペーサとを備え、複数のスペーサでもってロッドレンズアレイの個々の傾きを調整することを特徴とする。
【発明の効果】
【００１５】
この発明に係るイメージセンサは被写体に光を照射する光源と、被写体で反射された光を集光させる個々のロッドレンズのそれぞれを隔離するように直線的に配列し、且つ直線的に配列されたロッドレンズの最端部に位置するロッドレンズが互いに接するように隣接配置したロッドレンズアレイと、ロッドレンズアレイで結像した光を所定の読み取り幅に渡り受光する受光素子と、連続して配置された複数のロッドレンズアレイを所定の読み取り幅に渡り緩衝材を介して固定するフレームとを備えており、短尺のロッドレンズアレイを互いに接続（接合）することにより、汎用のロッドレンズアレイを使用することができるので、長尺であっても安価なイメージセンサを構成できる利点がある。
【００１６】
また、この発明に係るイメージセンサは、被写体に光を照射する光源と、被写体で反射された光を集光させる個々のロッドレンズのそれぞれを隔離するように直線的に配列し、且つ直線的に配列されたロッドレンズの最端部に位置するロッドレンズが互いに接するように隣接配置したロッドレンズアレイと、ロッドレンズアレイで結像した光を所定の読み取り幅に渡り受光する受光素子と、連続して配置された複数のロッドレンズアレイを所定の読み取り幅に渡り緩衝材を介して固定すると共に緩衝材との間に複数の貫通穴を設けたフレームと、貫通穴に挿入したネジとを備えているので、フレームの外側からネジでもって個々のロッドレンズアレイに押し圧をかけ、それらの傾きを所定位置にまで補正するので、原稿や受光素子に対するロッドレンズアレイの結像位置を調整することができ、広範な読み取り幅に渡り、画像のボケが無い高画質の読み取りを実現できる。
【発明を実施するための最良の形態】
【００１７】
実施例１．
以下、この発明の実施例１について説明する。図１はこの発明のイメージセンサの構成を示す断面図である。２は被写体（原稿や紙幣など）走行面に位置するガラスプレート、６は被写体を照明するライン型の光源、９は被写体で反射された光を受光する受光素子（センサＩＣ）、１０は受光素子を配置するセンサ基板、１１はセンサ基板１０を支持するＬ型プレート、１６は外光防止用の遮蔽部材、１８はイメージセンサの上部に位置し、ガラスプレート２上面をイメージセンサと相対的に走行する原稿、３０はガラスプレート２、光源６、センサ基板１０などを収納するフレームであって、第１のフレーム３０ａ及び第２のフレーム３０ｂからなる。８０は第１のフレーム３０ａ及び第２のフレーム３０ｂで挟まれたロッドレンズアレイ、１１０はフレーム３０とロッドレンズアレイ８０とを接着固定する緩衝材（両面テープ）である。
【００１８】
図２はイメージセンサに搭載されたロッドレンズアレイ８０の周辺部の部分平面図である。図において８１はロッドレンズ、８２は側板、８３はロッドレンズ８１と側板８２とを擬似的に固定する接着剤である。８５は隣接するロッドレンズアレイ８０の端部に充填された遮光用シール剤である。
【００１９】
次に作用について説明する。図３は汎用（市販）のロッドレンズアレイの平面図であり通常、ロッドレンズアレイの両端部には終端板８６が設置されている。なお図３ａに示す形状のものを１列配列型レンズ、図３ｂに示すものを２列配列型レンズと呼び、２列配列型レンズのロッドレンズ８１は千鳥形状で構成されている。この発明のイメージセンサは有効読み取り幅が９００ｍｍを超える長尺の読み取り領域を確保することを目的としているため、図３で述べた市販のロッドレンズアレイを接続（接合）する。例えば２８０ｍｍ幅のロッドレンズアレイを使用する場合は３個のロッドレンズアレイと２８０ｍｍ幅より短尺の１個のロッドレンズアレイを必要とする。
【００２０】
図４は市販のロッドレンズアレイを使用してロッドレンズアレイの不要部分を削除する手段を説明するものである。図３ａに示すような１列配列型レンズでは、本実施例のロッドレンズアレイ８０ではロッドレンズ８１間のピッチ（ｐ）が０．７ｍｍであり、ロッドレンズ８１の直径（ｄ）が０．６ｍｍであるためロッドレンズ８１間の隙間は０．１ｍｍしかない。従って機械加工（ミーリング加工）する場合には１個のロッドレンズ８１を除去する。
【００２１】
まず、除去する所定の１個のロッドレンズ８１周辺の側板８２の４箇所をミーリングで除去し、所定のロッドレンズ８１を除去する。次に除去したレンズと隣接するロッドレンズ８１外周端部部位の側板８２をミーリングする。（ハッチング部分  ８４）。すなわち側板８２の側面外側からロッドレンズ８１の外周まで研削し、側板８２片を除去する。この場合、研削位置は除去したロッドレンズ８１の外周最端部を基準にして、ロッドレンズ８１の半径以下の距離が適当である。研削距離が半径以上であるとロッドレンズ８１の剥がれが発生し、逆に研削距離が０．１ｍｍ以下であるとロッドレンズアレイ８０同士を接合する後組立工程（接合工程）において、隣接するロッドレンズアレイ８０端部側板８２のバリや光軸方向の研削精度のばらつきにより、個々のロッドレンズアレイ８０の光軸の傾きの原因となる。
【００２２】
次にロッドレンズ８１と側板８２とを固定していた不要な接着剤は粒径も細かく、最端部に位置する部位においては簡単なブラッシングで除去できる。図３ｂに示すような２列配列型レンズでは隣接する千鳥配列同士２個のロッドレンズアレイ８１を除去し、１列配列型レンズの側板８２片を除去した場合と同様の手段で加工を行う。
【００２３】
図５ではロッドレンズアレイの端部に終端板８６がある場合の加工方法について説明する。図５ａは市販の２列配列型レンズの端部を示したものであり、図５ｂは終端板８６を取り除き（ハッチング部５４）且つ、除去すべき側板８２の領域（黒部５４）を示したものである。ロッドレンズアレイの端部のミーリング加工ではロッドレンズ８１を除去する作業がないため、側板８２片の除去はまず終端板８６を除去するための研削を行う。
【００２４】
次に側板８２片の除去にあたっては本実施例ではロッドレンズ８１の材質がガラスであっても透明プラスチックであっても加工できるようにミーリング加工による研削（切削）で行ったがロッドレンズ８１の材質がガラスであればレーザー加工で実施しても良い。図５ｃは加工後の２列配列型レンズ同士を接続した場合の接続模式図である。２列配列型レンズの場合は端部２個のロッドレンズ８１がそれぞれ同時に相手側のロッドレンズアレイ８０端部２個のロッドレンズ８１と接合される要素を持つ。なお、図４ａ及び図５ｂでは両側の側板８２同士４箇所を切削したが、端部ロッドレンズ８１同士の接合が目的であるため、お互いに片側の側板８２だけ切削し、これらを組み合わせて接合しても良い。
【００２５】
次にイメージセンサとしての組立順序について説明する。図２において、フレーム３０に両面テープ１１０を貼り付ける。図２では、両面テープ１１０は連続しているが、部分的には両面テープ１１０がなくても、ほぼ連続的であればよい。連続的に固定する理由として以下のようなことがある。イメージセンサに温度変化が加わったとき、フレーム３０とロッドレンズアレイ８０との熱膨張係数の差異により読み取り幅（長手）方向に渡り寸法差が生じる。結果、ロッドレンズアレイ８０にストレスが加わる。従って長手方向のほぼ全長に渡って両面テープ１１０によりロッドレンズアレイ８０を固定することでストレスを吸収する。逆に部分的な固定を行うと、固定している部分はストレスが少ないが、固定していない部分にストレスが集中し、ロッドレンズアレイ８０の接合部分が接着されていないとロッドレンズアレイ８０同士の接合部分に大きなストレスが生じる。
【００２６】
次にロッドレンズアレイ８０の端部を取り除いた側のロッドレンズ８１がお互いに接するように、またロッドレンズアレイ８０の上面がお互いに揃うように、あらかじめフレーム３０ａに貼り付けた両面テープ１１０に位置合わせ後機械（治具）接着する。このとき、シール剤８５をロッドレンズアレイ８０同士の端部隙間を埋めるように塗布する。シール剤８５を塗布することにより、ロッドレンズ８１の一部が露出している部分の遮光効果が向上する。塗布幅はロッドレンズ８１が露出している部分の寸法は最大１．２ｍｍ、最小は０．２ｍｍであるためこの領域に渡りシール剤８５を塗布する。塗布高さは光軸方向であるロッドレンズ８１の高さ全域に渡り塗布することが好ましいが、ロッドレンズ８１高さの半分程度の塗布であっても画像読み取り性能は確保できる。
【００２７】
シール剤８５は本実施例では軟性接着効果を持たせるためシリコン系樹脂接着剤を使用した。またロッドレンズ８１内からの光漏れ及び外光の入射防止のため黒色を使用したが遮光効果に対しては透明でなければ半濁色であっても遮光性能は確保できる。なお、シール剤８５の遮光効果に関して、本実施例ではシール剤８５は最大１．２ｍｍの塗布が必要な場合がありその遮光効果を保証するために塗布したが、シール剤８５の塗布領域が０．２ｍｍ〜０．５ｍｍ程度である場合には、両側に設けられた緩衝材１１０による遮光効果も期待できるので必ずしも必要では無い。
【００２８】
本実施例ではフレーム３０ａに両面テープ１１０を使用して、ロッドレンズアレイ８０を貼り付けたが、フレーム３０ｂにロッドレンズアレイ８０を先に貼り付けても良い。また、ロッドレンズアレイ８０同士の接続は図２では隣接する片側２個について説明したが、長尺のイメージセンサを得ることが目的であるため、ロッドレンズアレイ８０の両端はそれぞれ隣接するロッドレンズアレイ８０と連続して接続するので３個以上のロッドレンズアレイ８０を直線的に接続しても良い。
【００２９】
さらにフレーム３０とロッドレンズアレイ８０との固定は緩衝材として両面テープ１１０を使用したがＵＶ接着剤やシリコン接着剤のような軟性の接着剤であれば同様な効果を奏する。図２では緩衝材を介してロッドレンズアレイ８０とフレーム３０とを固定したがＵＶ接着剤やシリコン接着剤を用いる場合は直接ロッドレンズアレイ８０側面とフレーム３０上面とを接着しても相応の効果がある。
【００３０】
以上のように本実施例１においては、汎用サイズのロッドレンズアレイの端部を加工し、個々のロッドレンズアレイ８０の端部ロッドレンズ８１が接するように接続し、フレーム３０のほぼ全長にわたってロッドレンズアレイ８０を固定し、ロッドレンズアレイ８０同士の隙間を埋めるシール剤８５を充填し、ロッドレンズ８１以外から光が通過しないようにしたので、接続部における画像ボケは無く、且つ長尺のロッドレンズアレイを使う必要がなく、安価なロッドレンズアレイを使用した高画質の長尺イメージセンサを実現することが可能となる。
【００３１】
実施例１では個々のロッドレンズアレイ８０は緩衝材１１０を用いてフレーム３０と固定されたが、加えてさらに強固にロッドレンズアレイ８０とフレーム３０とを固定する方法について実施例２で説明する。
【００３２】
実施例２．
以下、この発明の実施例２について図６で説明する。図２と同一符号は同一又は相当部分を示す。図６において１２０は実施例１で説明したイメージセンサのロッドレンズアレイ８０同士をシール剤５５を用いて接続した領域にさらにロッドレンズアレイ８０とフレーム３０とを強化固定するために塗布した接着剤である。図６では、フレーム３０ａ及びフレーム３０ｂの両方に接着剤１２０を塗布する。すなわち両面テープ１１０で連続的にロッドレンズアレイ８０をフレーム３０の両側で固定するが両面テープ１１０は厚さ０．１ｍｍ程度であり、軟性の粒子接着剤であるため部分的には剥がれやすい性質がある。
【００３３】
例えば全長で固定している両面テープ１１０が温湿度の変化により部分的に剥がれ、ロッドレンズアレイ８０の接合部から遠いところでのみ接着されるような状態になった時、ロッドレンズアレイ８０同士の接合部にストレスが加わる。そのためロッドレンズアレイ８０の接合部に接着剤１２０を塗布することにより、ロッドレンズアレイ８０の接合部周辺部については、両面テープの剥がれ位置に拘らず必ず固定されていることになる。従ってストレスがロッドレンズアレイ８０の接合部に集中してもロッドレンズアレイ８０とフレーム３０との安定した接着固定を維持することができる。
【００３４】
すなわち、お互いにロッドレンズアレイ８０の端部同士で接しているロッドレンズ８１が分離して端部のロッドレンズ８１間同士に隙間ができると、これはロッドレンズアレイ８０間のねじれ又は曲がりとなって現れ、原稿１８の所定の読み取り光軸位置と個々のロッドレンズ８１との光軸のずれを意味するので画像のボケの原因となる。従ってこの現象を防止することができる。また、接しているロッドレンズ８１が押合うことにより圧縮による応力が発生しロッドレンズ８１が破壊されることもない。
【００３５】
接着剤１２０の塗布幅はシール剤８５の塗布幅が０．２ｍｍ乃至１．２ｍｍなので適宜この範囲のシール剤８５が塗布された領域を覆うようにフレーム３０と接着させる。且つシール剤８５を介さないで直接ロッドレンズ８１に触れないように接着させる。接着剤１２０の塗布高さはロッドレンズアレイ８０の上面以上には盛り上がらない領域で塗布する。
【００３６】
接着剤１２０は本実施例ではシリコン系接着剤で隣接するロッドアレイ８０の端部領域両側をフレーム３０に塗布したが、ウレタン系接着剤であっても同様な効果を奏する。さらに強化固定するためにはエポキシ系接着剤を用いても良く、その場合は隣接するロッドレンズアレイ８０の端部の接着領域はシール剤８５の最大塗布幅である１．２ｍｍ以上を大きく越えないポイント接着が好ましい。ポイント接着することにより、熱膨張時のバイメタル効果による連続したロッドレンズアレイ８０の直線性に対する曲がり変化を軽減することができる。
【００３７】
なお、ロッドレンズアレイ８０の固定はフレーム３０ａ又はフレーム３０ｂの何れか片側だけに接着剤１２０を塗布してもフレーム３０との強化固定は確保できる。
【００３８】
以上からこの発明の実施例２においては、接着剤１２０により、ロッドレンズアレイ８０の接続部分において、ロッドレンズアレイ８０とフレーム３０とを固定したので、実施例１で述べた効果を持つとともに、全長で固定している両面テープ１１０が温湿度の変化により部分的に剥がれても接合部に接着剤１２０を塗布することにより、ロッドレンズアレイ８０の曲がりやロッドレンズ８１の破壊を防止でき安定したロッドレンズアレイ８０とフレーム３０との固定が可能となる。
【００３９】
実施例２では隣接するロッドレンズアレイ８０の端部周辺に接着剤を塗布したが、ロッドレンズアレイ８０の端部以外に接着剤を塗布する方法を実施例３で説明する。
【００４０】
実施例３．
以下、この発明の実施例３について図７で説明する。図７において１２４はロッドレンズアレイ８０の端部周辺を避けた領域に塗布した接着剤である。図７では、フレーム３０ａ及びフレーム３０ｂの両方に接着剤１２４を塗布している。接着剤１２４はロッドレンズアレイ８０の接合部分の近辺に塗布するが、端部ロッドレンズ８１の円周部に近接した領域には塗布しない。シール剤８５は、接着手段よりも遮光効果を主体としているため、隣接する端部ロッドレンズ８１同士の接着効果と端部ロッドレンズ８１の遮光効果はあるが、ロッドレンズアレイ８０とフレーム３０との固定には寄与しない。
【００４１】
一方、接着剤１２４はロッドレンズアレイ８０とフレーム３０とを固定することを目的としているので、一般に固まると硬くなる。特にロッドレンズ８１の材質がガラスの場合には脆いため、端部ロッドレンズ８１の円周部分に接着剤１２４が塗布されていると、円周部分において、ロッドレンズ８１と接着剤１２４との熱膨張係数の差異により接着剤１２４がロッドレンズ８１のガラス円周部を引き剥がし、ロッドレンズ８１の光学的結像機能を劣化させる。
【００４２】
本実施例では、端部ロッドレンズ８１の露出している円周部近傍には確実に接着剤１２４を接触させない構成とする。実施例２では端部ロッドレンズ８１はシール剤８５を介して接着剤１２０とは接触させない構造としているが、本実施例ではシール剤８５の塗布領域と隔離し、隣接するロッドレンズアレイ８０端部近傍両側に接着剤１２４をポイント的に塗布接着させる。以上のような構成にすることにより、端部ロッドレンズ８１へ浸透による接着剤１２４の流れ込みによる不都合を防止できる。
【００４３】
なお、ロッドレンズアレイ８０の固定はフレーム３０ａ又はフレーム３０ｂの何れか片側だけに接着剤１２４を塗布してもフレーム３０との強化固定は確保できる。
【００４４】
以上のように実施例３においては、ロッドレンズアレイ８０同士の接続部分には接着剤１２４を端部ロッドレンズ８１の円周部近傍には確実に接触させないようにシール剤８５の塗布領域を避け、その近傍周辺で分散させて塗布したので、シール剤８５に接着剤１２４が流れ込み隣接するロッドレンズアレイ８０の端部ロッドレンズ８１の光学的性能を劣化させることは無いので、安定したイメージセンサの読み取り品質を確保できる効果がある。
【００４５】
実施例１乃至３ではロッドレンズアレイ８０の接続とその固定方法について説明したが実施例４ではイメージセンサに組み込まれたロッドレンズアレイ８０の組込後の光軸調整ついて説明する。
【００４６】
実施例４．
図８は実施例４におけるイメージセンサの断面図である。図１と同一符号は同一又は相当部分を示す。図８において１３０は調整ネジであり、１３０ａはフレーム３０ａ側に設置された調整ネジ、１３０ｂはフレーム３０ｂ側に設置された調整ネジである。
【００４７】
次に作用について説明する。図９はフレーム３０に組み込まれたロッドレンズアレイ８０の設置状態を説明する模式図である。図９においてイメージセンサの本来の設計光軸からずれた角度（θ）で原稿を読み取ると読み取るべき画像位置がずれることは自明である。複数のロッドレンズアレイ８０が組み込まれたイメージセンサにおいては個々の光軸を本来の設計光軸に合わせるように調整する必要がある。
【００４８】
通常、２個のロッドレンズアレイ８０を直線的に接続してもロッドレンズアレイ８０の外形公差による形状の相違、フレーム３０の製造時に発生する形状のばらつき、両面テープ１１０の厚みのばらつきにより２個のロッドレンズアレイ８０同士の光軸位置と光軸方向は相対的に異なる。特に光軸方向は結像距離が比較的長いので大きな結像位置の変化となってあらわれる。ロッドレンズアレイ８０の設計光軸とのずれ（θ）が１度以内であってもイメージセンサが６００ｄｐｉの画素密度であっては１画素分程度の読取りのずれが生じる。つまり、一方のロッドレンズアレイ８０と他方のロッドレンズアレイ８０を接続している場合には、読み取る画像部分が１本の直線であるにもかかわらず、ロッドレンズアレイ８０の接続部分（つなぎ目）では１画素分の段差を持った直線画像となって現れる。すなわち、書き込み装置など出力側では実際の画像を再現しなくなる。
【００４９】
図９では傾いて設置された個々のロッドレンズアレイ８０をフレーム３０に設置された調整ネジ１３０で本来の光軸上にロッドレンズアレイ８０の光軸を合わせる調整を行う。調整は投影機を用いて垂直にロッドレンズアレイ８０が立つように行う。本実施例ではあらかじめ個々のロッドレンズアレイ８０の側面とフレーム３０外側側面との間を貫通するＭ２．５ネジ穴をフレーム３０ａ及びフレーム３０ｂに設置している。
【００５０】
例えば図９紙面上で手前のロッドレンズアレイ８０は右側に傾いているので調整ネジ１３０ｂで本来の設計光軸上に合わせる。また、奥のロッドレンズアレイ８０は左に傾いているので調整ネジ１３０ａで設計光軸上に合わせる。もしくはどちらかのロッドレンズアレイ８０だけを調整し、２個のロッドレンズアレイ８０を相対的に傾かないようにする。
【００５１】
これらロッドレンズアレイ８０の傾きを調整するためのロッドレンズアレイ８０の移動距離は数十μｍまでの微小距離であるから緩衝材である厚みが１００μｍの両面テープ１１０の圧縮伸長でロッドレンズアレイ８０の移動によるひずみは吸収できるため、ロッドレンズアレイ８０とフレーム３０との接着強度の劣化はなくシール剤８５も軟性の接着剤を使用しているため端部ロッドレンズ８１同士の剥離による不都合も認められない。なお、個々のロッドレンズアレイ８０を調整する調整ネジ１３０は個々のロッドレンズアレイ８０に対してフレーム３０片側で２箇所以上が好ましい。
【００５２】
以上のように本実施例では、連続して設置されたロッドレンズアレイ８０のそれぞれの組立後の傾きを所望の傾きに調整できるように調整ネジ１３０を装備したので実際の画像を正しく読取ることができる。
【００５３】
なお、本実施例ではロッドレンズアレイ８０の傾きを調整するために調整ネジ１３０を使用し、イメージセンサ外部から調整できるようにしたが、調整ネジ１３０に代えてタッピングネジやリベットなどを用いても良く、調整後、調整ネジ１３０やリベットはロッドレンズアレイ８０とフレーム３０との固定状態が強固であることを確認後それらを部分的あるいは全面的に除去しても良い。
【００５４】
また、ロッドレンズアレイ８０とフレーム３０との間にあらかじめ０．０３ｍｍ程度の厚みを持つ微小片スペーサなどを設置して、個々のロッドレンズアレイ８０の傾きの補正を行っても調整ネジ１３０の突出調整と似た相応の効果がある。
【００５５】
この発明の実施例１乃至４で説明したイメージセンサのロッドレンズアレイ８０の加工・組立方法は比較的長尺を要する画像書き込み装置や一般の複写機に使用されるロッドレンズアレイに適用できることは述べるまでも無い。
【図面の簡単な説明】
【００５６】
【図１】この発明の実施例１によるイメージセンサの断面図である。
【図２】この発明の実施例１によるイメージセンサのロッドレンズアレイ周辺部を示す平面図である。
【図３】市販のロッドレンズアレイの形状を示す平面図である。
【図４】この発明の実施例１によるロッドレンズアレイの加工方法説明図である。
【図５】この発明の実施例１によるロッドレンズアレイの加工方法説明図である。
【図６】この発明の実施例２によるイメージセンサのロッドレンズアレイ周辺部を示す平面図である。
【図７】この発明の実施例３によるイメージセンサのロッドレンズアレイ周辺部を示す平面図である。
【図８】この発明の実施例４によるイメージセンサの断面図である。
【図９】この発明の実施例４によるイメージセンサのロッドレンズアレイの傾き調整を説明する図である。
【符号の説明】
【００５７】
２  ガラスプレート、  ６光源、  ９  受光素子（センサＩＣ）、  １０  センサ基板、  １１  Ｌ型プレート、  １６樹脂（遮光部材）、  １８  原稿（被写体）、  ３０  フレーム、  ３０ａ  第１のフレーム、  ３０ｂ  第２のフレーム、  ８０  ロッドレンズアレイ、８１  ロッドレンズ、８２  側板、８３  接着剤（疑似接着剤）、  ８４  端部加工領域、  ８５  シール剤、  ８６  終端板、  １１０  緩衝材（両面テープ）、  １２０  接着剤、  １２４  接着剤、  １３０  調整ネジ（ネジ）、  １３０ａ  右調整ネジ、  １３０ｂ  左調整ネジ。
【図１】
2005217630.tif 000003
【図２】
2005217630.tif 000004
【図３】
2005217630.tif 000005
【図４】
2005217630.tif 000006
【図５】
2005217630.tif 000007
【図６】
2005217630.tif 000008
【図７】
2005217630.tif 000009
【図８】
2005217630.tif 000010
【図９】
2005217630.tif 000011